(57)【特許請求の範囲】
【請求項１】
ある水平な一方向に延び、この一方向への直交方向で互いに対面する一対の側壁と、これら両側壁の間の空間に位置すると共に上記直交方向に延びて上記空間を上記一方向で複数の区画空間に仕切る仕切壁と、上記直交方向における上記仕切壁の各端縁部を上記各側壁にそれぞれ枢支させる第１ヒンジとを備えた折り畳み式箱体において、
上記各仕切壁が、上記直交方向に列設される複数の仕切壁要素と、上記直交方向で隣り合う上記両仕切壁要素の互いの対向端縁部を枢支する第２ヒンジとを備え、
上記側壁と仕切壁の各仕切壁要素とがそれぞれ金網又は通水性の板材で形成され、これら側壁と仕切壁とを上記各区画空間側から覆う膜体が設けられ、
上記各仕切壁のうち、上記一方向での中途部の仕切壁における上記直交方向での中途部に対し対面する上記膜体の部分に開口が形成されていることを特徴とする折り畳み式箱体。
【請求項２】
上記一方向に向かって延びる補強バーが上記側壁に取り付けられていることを特徴とする請求項１に記載の折り畳み式箱体。
【発明の詳細な説明】
【技術分野】
【０００１】
本発明は、不使用時には折り畳んでコンパクトな形状にでき、使用時にはその内部の空間が拡大するよう展開できるというものであり、例えば、この空間に土砂など重量材を充填すれば、洪水時などの水の塞き止め、河川等の護岸工事、および道路の法面工事等に多目的に適用できる折り畳み式箱体に関するものである。
【背景技術】
【０００２】
上記折り畳み式箱体には、従来、下記特許文献１，２に示されるものがある。これら各公報のものによれば、折り畳み式箱体は、ある水平な一方向に延び、この一方向への直交方向で互いに対面する一対の側壁と、これら両側壁の間の空間に位置すると共に上記直交方向に延びて上記空間を上記一方向で複数の区画空間に仕切る仕切壁と、上記直交方向における上記仕切壁の各端縁部を上記各側壁にそれぞれ枢支させるヒンジとを備えている。
【０００３】
上記各側壁は、それぞれ上記一方向に列設される複数の側壁要素と、上記一方向で隣り合う一対の側壁要素の互いの対向端縁部同士を枢支する他のヒンジとを備えている。また、上記一方向で隣り合う上記一対の側壁要素と他の一対の側壁要素との互いの対向端縁部は前記ヒンジによって互いに枢支されている。
【０００４】
そして、上記箱体の不使用時には、上記各ヒンジをそれぞれ中心として上記各側壁要素同士を相対回動させると共にこれら各側壁要素と仕切壁とを相対回動させてやれば、上記箱体を上記一方向で蛇腹状に収縮させつつ上記各側壁要素と仕切壁とを折り畳むことができる。これにより、上記箱体をコンパクトな形状に折り畳むことができるようになっている。
【０００５】
一方、上記箱体の使用時には、この箱体を、その内部の空間が拡大するよう上記一方向に伸長させて展開させる。そして、この空間に土砂など重量材を充填してやれば種々の目的物に形成できる。具体的には、この目的物は、河川等の護岸工事、および道路の法面工事等に多目的に適用できるようになっている。
【先行技術文献】
【特許文献】
【０００６】
【特許文献１】特表２０１０−５０８４５２号公報
【特許文献２】特開２０００−３１４１１８号公報
【発明の概要】
【発明が解決しようとする課題】
【０００７】
ところで、上記したように、箱体の使用時に、その内部の空間に土砂など重量材を充填して何らかの目的物を形成したとする。この場合、上記箱体の各側壁要素の内面には上記重量材から大きい内圧が与えられる。すると、この内圧に因り、前記他のヒンジを中心として上記一対の側壁要素の互いの対向端縁部が相対回動しつつ、これら対向端縁部が上記直交方向で箱体の外側方に向かって突出しがちとなる。つまり、上記側壁は上記重量材からの内圧に因り無意図的に上記一方向に向かってジグザグ形状になることから、上記目的物を所望形状にすることは容易でないという問題点がある。
【０００８】
しかも、上記他のヒンジには、上記重量材からの内圧により大きな引張力が与えられて応力集中が生じがちとなる。
【０００９】
ここで、上記各側壁要素は、上記一方向に等間隔に配置される複数本の縦向き線材と、上下方向に等間隔に配置されて上記各縦向き線材に溶接される複数本の横向き線材とを有していることから、この構成に基づき、上記他のヒンジの強度向上のため、仮の構成として、次のようにすることが考えられる。
【００１０】
即ち、上記一方向で隣り合う一対の側壁要素の各横向き線材の対向端部をそれぞれ屈曲させて環形状部にする。一方、上記他のヒンジが、上記一方向に並設される一対の縦向き棒材と、これら両縦向き棒材に遊嵌状に外嵌されるコイル状（もしくは環状）線材とを備えるようにする。そして、上記各縦向き棒材に上記各横向き線材の環形状部を外嵌させ、かつ、これら各縦向き棒材と、各横向き線材の環形状部とを溶接する。このようにすれば、上記他のヒンジは、ヒンジとしての構成が成立し、かつ、その強度を十分に向上させることができる。
【００１１】
しかしながら、上記他のヒンジを上記した仮の構成のようにした場合、この他のヒンジの構成は複雑であることから、その分、上記箱体の構成が複雑になると共に、その形成作業が煩雑かつ高価になると考えられて、好ましくない。
【課題を解決するための手段】
【００１２】
本発明は、上記のような事情に注目してなされたもので、本発明の目的は、折り畳み式の箱体を展開し、その内部の空間に土砂など重量材を充填して、ある目的物を形成した場合に、箱体の内面が上記重量材から大きい内圧を与えられるとしても、目的物を所望形状に形成できるようにすることである。
【００１３】
また、本発明の他の目的は、上記箱体の構成を簡単にできるようにすると共に、その形成作業が容易かつ安価にできるようにすることである。
【００１４】
請求項１の発明は、ある水平な一方向Ｘに延び、この一方向Ｘへの直交方向Ｙで互いに対面する一対の側壁６，６と、これら両側壁６，６の間の空間７に位置すると共に上記直交方向Ｙに延びて上記空間７を上記一方向Ｘで複数の区画空間７ａに仕切る仕切壁８と、上記直交方向Ｙにおける上記仕切壁８の各端縁部を上記各側壁６にそれぞれ枢支させる第１ヒンジ９とを備えた折り畳み式箱体において、
上記各仕切壁８が、上記直交方向Ｙに列設される複数の仕切壁要素１２と、上記直交方向Ｙで隣り合う上記両仕切壁要素１２，１２の互いの対向端縁部を枢支する第２ヒンジ１３とを備え、
上記側壁６と仕切壁８の各仕切壁要素１２とがそれぞれ金網１６又は通水性の板材で形成され、これら側壁６と仕切壁８とを上記各区画空間７ａ側から覆う膜体２１が設けられ、
上記各仕切壁８（Ａ）（Ｂ）のうち、上記一方向Ｘでの中途部の仕切壁８（Ｂ）における上記直交方向Ｙでの中途部に対し対面する上記膜体２１の部分に開口２２が形成されていることを特徴とする折り畳み式箱体である。
【００１７】
請求項２の発明は、上記一方向Ｘに向かって延びる補強バー２５が上記側壁６に取り付けられていることを特徴とする請求項１に記載の折り畳み式箱体である。
【００１８】
なお、この項において、上記各用語に付記した符号や図面番号は、本発明の技術的範囲を後述の「実施例」の項や図面の内容に限定解釈するものではない。
【発明の効果】
【００１９】
本発明による効果は、次の如くである。
【００２０】
請求項１の発明は、ある水平な一方向に延び、この一方向への直交方向で互いに対面する一対の側壁と、これら両側壁の間の空間に位置すると共に上記直交方向に延びて上記空間を上記一方向で複数の区画空間に仕切る仕切壁と、上記直交方向における上記仕切壁の各端縁部を上記各側壁にそれぞれ枢支させる第１ヒンジとを備えた折り畳み式箱体において、
上記各仕切壁が、上記直交方向に列設される複数の仕切壁要素と、上記直交方向で隣り合う上記両仕切壁要素の互いの対向端縁部を枢支する第２ヒンジとを備えている。
【００２１】
このため、上記箱体の不使用時や搬送時などには、この箱体の各第１ヒンジを中心として上記各側壁に対し上記各仕切壁のそれぞれ仕切壁要素を相対回動させると共に、上記第２ヒンジを中心として上記各仕切壁のそれぞれ仕切壁要素同士を相対回動させてやれば、上記両側壁を直交方向で互いに接近させつつ上記各側壁と上記各仕切壁要素とを上記直交方向で折り畳むことができる。これにより、上記箱体をコンパクトな形状に折り畳むことができる。
【００２２】
一方、上記箱体の内部の空間である各区画空間が拡大するよう箱体を展開させ、上記各区画空間に土砂など重量材を充填して堤防や土留め用などの目的物を形成したとする。この場合、上記箱体の各側壁は、その内面に上記重量材から大きい内圧が与えられて変形するおそれが生じる。
【００２３】
しかし、上記発明によれば、上記各側壁には前記従来の技術のようなヒンジは設けられておらず、これら各側壁はそれぞれ一体的な剛性体とされている。このため、上記各側壁の一部が上記重量材からの内圧に因り上記直交方向で箱体の外側方に向かって突出するよう変形する、ということは防止される。よって、上記目的物を所望形状に形成できる。
【００２４】
更に、上記したように、各側壁はそれぞれ一体的な剛性体とされているため、前記従来の技術にて説明のような他のヒンジは設けられておらず、まして、この他のヒンジを、その強度向上のために従来の技術にて説明のような複雑な構成の仮の構成の如きにする必要もない。
【００２５】
よって、上記各側壁の構成は簡単なもので足りることから、その分、上記箱体の構成は簡単となり、また、これに伴い、箱体の形成作業は容易かつ安価に達成でき、これは、実用上、極めて有益である。
【００２６】
請求項１の発明では、また、上記側壁と仕切壁の各仕切壁要素とがそれぞれ金網又は通水性の板材で形成され、これら側壁と仕切壁とを上記各区画空間側から覆う膜体が設けられている。
【００２７】
上記箱体における側壁と各仕切壁要素とを金網で形成した場合、これらを板材で形成することに比べ、箱体を軽量にできてその取り扱いが容易にできる。よって、上記箱体を展開し、その各区画空間に重量材を充填して目的物を形成する、という作業はより容易にできる。
【００２８】
そして、上記したように箱体の各区画空間に重量材を充填して目的物を形成したとき、重量材が上記金網の網目又は通水性の板材を通って箱体の外部に洩出することは上記膜体により防止される。よって、上記したように箱体は軽量にできるものでありながら、この箱体を用いて形成した目的物は長期にわたり所望形状に維持可能とされる。
【００２９】
請求項１の発明では、また、上記各仕切壁のうち、上記一方向での中途部の仕切壁における上記直交方向での中途部に対し対面する上記膜体の部分に開口が形成されている。
【００３０】
このため、上記箱体の各区画空間に重量材を充填したとき、この重量材は、一方向で隣り合う両区画空間の境界部である上記開口と、この開口と対面する上記仕切壁の金網の網目部分とにも充填される。よって、上記箱体の内部の空間には全体的に重量材が充填されることとなって、これら箱体と重量材とにより形成された目的物の性質を上記一方向の各部で互いにより均一にできる。この結果、この目的物を例えば堤防や土留め用に利用した場合には、上記両区画空間の境界部を含むこの目的物の上記一方向での各部分において水が上記直交方向に向かって無用に透過することはそれぞれ防止され、つまり、この目的物による堤防や土留めなどとしての性能を高品質なものにできる。
【００３１】
また、上記したように、開口は一方向で隣り合う両区画空間の境界部における膜体の上記直交方向での中途部に形成される。このため、上記目的物を堤防や土留め用などとして利用する際に、上記両区画空間の境界部を通しこれら各区画空間内から目的物の外部に重量材が流出することは、上記両区画空間の境界部における膜体の上記直交方向での各端部によって防止され、この点でも目的物の性能を高品質なものにすることができる。
【００３２】
請求項２の発明は、上記一方向に向かって延びる補強バーが上記側壁に取り付けられている。
【００３３】
このため、上記側壁は上記補強バーにより補強されて、その一体的な剛性がより向上する。よって、上記箱体の各区画空間に重量材が充填されて目的物が形成された場合に、上記側壁の一部が上記重量材からの内圧に因り上記直交方向で箱体の外側方に向かって突出するよう変形する、ということは、より確実に防止される。このため、上記目的物を所望形状に形成することが、より確実に達成される。
【００３４】
また、前記したように箱体をコンパクトな形状となるよう折り畳んだり、上記各区画空間が拡大するよう箱体を展開させたりする場合、上記側壁は一体的な剛性体であってその形状は変化しない。このため、上記したように側壁の補強用としてこの側壁に補強バーを取り付けたとしても、上記箱体の折り畳みや展開時に上記補強バーが邪魔になることは防止される。よって、前記したように補強バーにより側壁を補強して目的物を所望形状に形成することがより確実に達成されるものでありながら、この箱体の折り畳みや展開は容易かつ円滑にできるという利点がある。
【図面の簡単な説明】
【００３５】
【図１】箱体の使用時の斜視図である。
【図２】側面図である。
【図３】平面図である。
【図４】図３のIV部拡大詳細図である。
【図５】箱体を折り畳んだ平面図である。
【発明を実施するための形態】
【００３６】
本発明の折り畳み式箱体に関し折り畳み式の箱体を展開し、その内部の空間に土砂など重量材を充填して、ある目的物を形成した場合に、箱体の内面が上記重量材から大きい内圧を与えられるとしても、目的物を所望形状に形成できるようにする、という目的を実現するため、本発明を実施するための形態は、次の如くである。
【００３７】
即ち、折り畳み式箱体は、ある水平な一方向に延び、この一方向への直交方向で互いに対面する一対の側壁と、これら両側壁の間の空間に位置すると共に上記直交方向に延びて上記空間を上記一方向で複数の区画空間に仕切る仕切壁と、上記直交方向における上記仕切壁の各端縁部を上記各側壁にそれぞれ枢支させる第１ヒンジとを備える。上記各仕切壁は、上記直交方向に列設される複数の仕切壁要素と、上記直交方向で隣り合う上記両仕切壁要素の互いの対向端縁部を枢支する第２ヒンジとを備える。
【実施例】
【００３８】
本発明をより詳細に説明するために、その実施例を添付の図に従って説明する。
【００３９】
図１〜４において、図中符号１は折り畳み式の箱体である。この箱体１は、地面Ｇ上に設置した状態でその内部に土砂など重量材２を充填してやることにより、堤防、土留め、盛土用など種々の目的物３の形成を可能にさせるものである。
【００４０】
上記箱体１は、ある水平な一方向Ｘに延び、この一方向Ｘへの水平な直交方向Ｙで互いに対面する一対の側壁６，６と、これら両側壁６，６の間の空間７に位置すると共に上記直交方向Ｙに延びて上記空間７を上記一方向Ｘで複数（３つ）の区画空間７ａに仕切る複数（４枚）の仕切壁８と、上記直交方向Ｙにおける上記仕切壁８の各端縁部を上記各側壁６にそれぞれ枢支させる第１ヒンジ９とを備えている。
【００４１】
上記各側壁６と、各仕切壁８とはそれぞれが互いに平行に延びると共に、それぞれが互いに同形同大とされ、上記各仕切壁８は上記一方向Ｘで等間隔に配置されている。このため、上記各区画空間７ａは互いに同形同大とされている。
【００４２】
また、上記各仕切壁８は、上記直交方向Ｙに列設される複数（一対）の仕切壁要素１２，１２と、上記直交方向Ｙで隣り合う上記両仕切壁要素１２，１２の互いの対向端縁部同士を枢支する第２ヒンジ１３とを備えている。
【００４３】
上記各側壁６は、箱体１の側面視（図２）で、上記一方向Ｘに長い長方形状とされ、具体的には高さ×長さが１ｍ×３ｍとされている。上記各仕切壁８は、箱体１の正面視で、上記側壁６と高さが同じである正方形状とされている。このため、上記箱体１は全体として上記一方向Ｘに長い直方体形状をなしている。また、上記各仕切壁要素１２は、互いに同形同大とされ、箱体１の正面視で、上下方向に長い長方形状とされている。
【００４４】
上記側壁６と仕切壁８の各仕切壁要素１２とはそれぞれ金網１６で形成されている。この金網１６は、上記一方向Ｘに等間隔（７５ｍｍ間隔）に配置される複数本の縦向き線材１７と、上下方向に等間隔（７５ｍｍ間隔）に配置される複数本の横向き線材１８とを有している。これら各縦向き線材１７と横向き線材１８とは直径が４ｍｍで溶融亜鉛メッキされたもので、溶接などにより互いに強固に結合され、正方形状の網目を有している。
【００４５】
上記第１、第２ヒンジ９，１３は、隣り合う金網１６，１６の互いの対向端縁部を形成する一対の縦向き線材１７，１７に金属製線材をコイル形状となるよう巻き付けて形成したものである。なお、上記第１、第２ヒンジ９，１３は、上下方向に複数設けられる円環形状のものであってもよく、市販品を用いてもよい。
【００４６】
上記各側壁６と各仕切壁８とをそれぞれ上記各区画空間７ａ側から覆う膜体２１が設けられる。これら各膜体２１は上記各区画空間７ａ毎にそれぞれ一体的に形成され、上記各側壁６と各仕切壁８とに連結されて支持されている。上記各膜体２１は、上記各区画空間７ａに重量材２を充填して、ある目的物３を形成した場合に、これら重量材２が上記金網１６の網目を通って箱体１の外部に洩出することを防止するものである。上記膜体２１は、通水性を有する天然繊維、合成繊維等による不織布である。なお、上記膜体２１は、天然繊維、合成繊維等による織物や、この織物の両面のうち、少なくとも一方の面に施される塩化ビニル（ＰＶＣ）、ポリウレタン（ＰＵ）、エチレン・酢酸ビニル共重合体（ＥＶＡ）等などの合成樹脂からなるコーティング材とを備えたものも利用可能であり、遮水性もしくは通水性のシート材で形成してもよい。
【００４７】
上記の場合、箱体１が備える複数（４枚）の仕切壁８（Ａ）（Ｂ）のうち、上記一方向Ｘでの端部に位置する２枚の各仕切壁８（Ａ）については、それぞれその各区画空間７ａ側の面が全体的に上記膜体２１で覆われている。
【００４８】
一方、上記した複数の仕切壁８（Ａ）（Ｂ）のうち、上記一方向Ｘでの中途部に位置する複数（２枚）の各仕切壁８（Ｂ）については、それぞれ上記直交方向Ｙでの中途部に対し対面する上記膜体２１の部分に、上下方向の全体にわたり開口２２が形成されている。そして、上記一方向Ｘで互いに隣り合う区画空間７ａ，７ａ同士は、上記開口２２とこの開口２２に対面する上記仕切壁８の部分とを通し互いに連通させられている。
【００４９】
各図中二点鎖線で示すように、上記一方向Ｘに向かって直線的に延び、上記各側壁６に取り付けられてこれら各側壁６を補強する補強バー２５が設けられる。
【００５０】
上記補強バー２５は、上下方向で複数本設けられ、それぞれ金属製線材などにより上記側壁６に強固に取り付けられている。上記補強バー２５は断面円形の金属製棒材で形成されるが、断面は矩形や多角形であってもよく、型鋼材で形成してもよい。
【００５１】
図５において、上記構成の箱体１の不使用時や搬送時などには、この箱体１の各第１ヒンジ９を中心として上記各側壁６に対し上記各仕切壁８のそれぞれ仕切壁要素１２を相対回動させると共に、上記第２ヒンジ１３を中心として上記各仕切壁８のそれぞれ仕切壁要素１２，１２同士を相対回動させてやれば、上記両側壁６，６を直交方向Ｙで互いに接近させつつ上記各側壁６と上記各仕切壁要素１２とを上記直交方向Ｙで折り畳むことができる。これにより、上記箱体１をコンパクトな形状に折り畳むことができる。
【００５２】
上記したように箱体１を折り畳む場合、上記各側壁６は一体的な剛性体として一定形状に保たれる一方、上記各仕切壁８は一対の仕切壁要素１２，１２が第２ヒンジ１３を中心として相対回動して折り畳まれる。
【００５３】
ここで、上記箱体１を図５のように折り畳んだとき、折り畳まれた一対の仕切壁要素１２，１２と、これに上記一方向Ｘで隣り合う他の一対の仕切壁要素１２，１２とが互いに干渉し合わないように、それぞれ折り畳まれた一対の仕切壁要素１２，１２の上記一方向Ｘでの長さが定められる。そして、この場合、上記折り畳まれた一対の仕切壁要素１２，１２の一方向Ｘでの長さの最大値は、上記一方向Ｘでの各仕切壁８のピッチ寸法（１ｍ）に近い値にできる。
【００５４】
そして、上記のように、折り畳まれた一対の仕切壁要素１２，１２の上記一方向Ｘでの長さを上記最大値としてやれば、展開したときの箱体１における上記仕切壁８の上記直交方向Ｙでの寸法を上記一方向Ｘでの各仕切壁８のピッチ寸法（１ｍ）のほぼ２倍の寸法（２ｍ）にまで大きくすることができる。よって、上記構成の箱体１によれば、その折り畳みが支障なくできると共に展開時の容量を大きくでき、このため、この箱体１により形成された目的物３の安定性を向上させることができる。
【００５５】
図１〜４において、上記箱体１の使用時には、この箱体１を、その各区画空間７ａが拡大するよう上記一対の側壁６，６同士を直交方向Ｙで離間させて展開させる。そして、上記各区画空間７ａに土砂など重量材２を充填してやれば、堤防、土留め、盛土用などの種々の目的物３に形成できる。具体的には、この目的物３は、洪水などの水２８の塞き止め、河川等の護岸工事、および道路の法面工事等に多目的に適用できる。
【００５６】
上記構成によれば、上記各仕切壁８が、上記直交方向Ｙに列設される複数の仕切壁要素１２と、上記直交方向Ｙで隣り合う上記両仕切壁要素１２，１２の互いの対向端縁部を枢支する第２ヒンジ１３とを備えている。
【００５７】
ここで、上記箱体１の内部の空間７である各区画空間７ａが拡大するよう箱体１を展開させ、上記各区画空間７ａに土砂など重量材２を充填して堤防や土留め用などの目的物３を形成したとする。この場合、上記箱体１の各側壁６は、その内面に上記重量材２から大きい内圧が与えられて変形するおそれがある。
【００５８】
しかし、上記構成によれば、上記各側壁６には前記従来の技術のようなヒンジは設けられておらず、これら各側壁６はそれぞれ一体的な剛性体とされている。このため、上記各側壁６の一部が上記重量材２からの内圧に因り上記直交方向Ｙで箱体１の外側方に向かって突出するよう変形する、ということは防止される。よって、上記目的物３を所望形状に形成できる。
【００５９】
更に、上記したように、各側壁６はそれぞれ一体的な剛性体とされているため、前記従来の技術にて説明のような他のヒンジは設けられておらず、まして、この他のヒンジを、その強度向上のために従来の技術にて説明のような複雑な構成の仮の構成の如きにする必要もない。
【００６０】
よって、上記各側壁６の構成は簡単なもので足りることから、その分、上記箱体１の構成は簡単となり、また、これに伴い、箱体１の形成作業は容易かつ安価に達成でき、これは、実用上、極めて有益である。
【００６１】
また、前記したように、側壁６と仕切壁８の各仕切壁要素１２とをそれぞれ金網１６で形成し、これら側壁６と仕切壁８とを上記各区画空間７ａ側から覆う膜体２１を設けている。
【００６２】
このため、上記箱体１における側壁６と各仕切壁要素１２とを金網１６で形成した分、これらを板材で形成することに比べて、箱体１を軽量にできてその取り扱いが容易にできる。よって、上記箱体１を展開し、その各区画空間７ａに重量材２を充填して目的物３を形成する、という作業はより容易にできる。
【００６３】
そして、上記したように箱体１の各区画空間７ａに重量材２を充填して目的物３を形成したとき、重量材２が上記金網１６の網目を通って箱体１の外部に洩出することは上記膜体２１により防止される。よって、上記したように箱体１は軽量にできるものでありながら、この箱体１を用いて形成した目的物３は長期にわたり所望形状に維持可能とされる。
【００６４】
また、前記したように、各仕切壁８のうち、上記一方向Ｘでの中途部の仕切壁８（Ｂ）における上記直交方向Ｙでの中途部に対し対面する上記膜体２１の部分に開口２２を形成している。
【００６５】
このため、上記箱体１の各区画空間７ａに重量材２を充填したとき、この重量材２は、一方向Ｘで隣り合う両区画空間７ａ，７ａの境界部である上記開口２２と、この開口２２と対面する上記仕切壁８の金網１６の網目部分とにも充填される。よって、上記箱体１の内部の空間７には全体的に重量材２が充填されることとなって、これら箱体１と重量材２とにより形成された目的物３の性質を上記一方向Ｘの各部で互いにより均一にできる。この結果、この目的物３を例えば堤防や土留め用に利用した場合には、上記両区画空間７ａ，７ａの境界部を含むこの目的物３の上記一方向Ｘでの各部分において水２８が上記直交方向Ｙに向かって無用に透過することはそれぞれ防止され、つまり、この目的物３による堤防や土留め用などとしての性能を高品質なものにできる。
【００６６】
また、上記したように、開口２２は一方向Ｘで隣り合う両区画空間７ａ，７ａの境界部における膜体２１の上記直交方向Ｙでの中途部に形成される。このため、上記目的物３を堤防や土留め用などとして利用する際に、上記両区画空間７ａ，７ａの境界部を通しこれら各区画空間７ａ内から目的物３の外部に重量材２が流出することは、上記両区画空間７ａ，７ａの境界部における膜体２１の上記直交方向Ｙでの各端部によって防止され、この点でも目的物３の性能を高品質なものにすることができる。
【００６７】
なお、上記一方向Ｘで複数の目的物３を密に列設してこれを維持する場合（図１、図２中、各二点鎖線）には、上記一方向Ｘで隣り合う両目的物３，３の境界部における各膜体２１の部分に上記したように開口２２を形成してもよい。このようにすれば、前記したようにある一つの目的物３において一方向Ｘで隣り合う両区画空間７ａ，７ａの境界部を含むこの目的物３の上記一方向Ｘでの各部の性質をより均一にできたり、この目的物３の各区画空間７ａ内から外部への重量材２の流出を防止できたりする作用効果と同様のものが、上記のように列設されて隣り合う両目的物３，３にも得ることができる。
【００６８】
また、前記したように、一方向Ｘに向かって延びる補強バー２５を上記側壁６に取り付けている。
【００６９】
このため、上記側壁６は上記補強バー２５により補強されて、その一体的な剛性がより向上する。よって、上記箱体１の各区画空間７ａに重量材２が充填されて目的物３が形成された場合に、上記側壁６の一部が上記重量材２からの内圧に因り上記直交方向Ｙで箱体１の外側方に向かって突出するよう変形する、ということは、より確実に防止される。このため、上記目的物３を所望形状に形成することが、より確実に達成される。
【００７０】
また、前記したように箱体１をコンパクトな形状となるよう折り畳んだり、上記各区画空間７ａが拡大するよう箱体１を展開させたりする場合、上記側壁６は一体的な剛性体であってその形状は変化しない。このため、上記したように側壁６の補強用としてこの側壁６に補強バー２５を取り付けたとしても、上記箱体１の折り畳みや展開時に上記補強バー２５が邪魔になることは防止される。よって、前記したように補強バー２５により側壁６を補強して目的物３を所望形状に形成することがより確実に達成されるものでありながら、この箱体１の折り畳みや展開は容易かつ円滑にできるという利点がある。
【００７１】
一方、前記膜体２１は、植物３１の生長を可能とする植生基盤機能をなし、目的物３の外側面が緑化可能とされている。具体的には、上記膜体２１はメッシュ形状やへちま（スポンジ）形状とされ、植生に必要な肥料や根茎の保持が可能とされている。
【００７２】
上記の場合、上記目的物３の上面、つまり、充填された重量材２の上面にも、上記と同性質の膜体２１を設けて、目的物３の上面も緑化可能にしてもよい。また、上記各側壁６と膜体２１との間の少なくとも一部、もしくは全部に保水性材料を設けることが好ましく、また、上記水２８を吸水して上記目的物３への供給を可能とする水ホースを上記目的物３に設置してもよい。
【００７３】
なお、以上は図示の例によるが、側壁６や仕切壁８の各仕切壁要素１２は金属製や樹脂製の板材で形成してもよく、これら板材を多孔性として通水性のものとしてもよい。また、上記仕切壁８が有する仕切壁要素１２は３枚以上であってもよい。また、上記区画空間７ａは４つ以上であってもよい。また、上記膜体２１は、上記空間７や各区画空間７ａの下端開口を閉じるよう設けてもよい。
【００７４】
また、上記膜体２１の外面に絵画、図形、模様を描いたり印刷したりしてもよく、このようにすれば、周囲環境との調和がとれ、また、目的物３周辺の通行人等への印象をよくすることができる。
【符号の説明】
【００７５】
１    箱体
２    重量材
３    目的物
６    側壁
７    空間
７ａ  区画空間
８    仕切壁
９    第１ヒンジ
１２  仕切壁要素
１３  第２ヒンジ
１６  金網
１７  縦向き線材
１８  横向き線材
２１  膜体
２２  開口
２５  補強バー
２８  水
３１  植物
Ｘ    一方向
Ｙ    直交方向
Ｇ    地面
【図１】
0005829093.tif 000002
【図２】
0005829093.tif 000003
【図３】
0005829093.tif 000004
【図４】
0005829093.tif 000005
【図５】
0005829093.tif 000006